(57)【要約】【課題】揺動板の揺動時において、遊技媒体との衝突音を発生させることなく、遊技媒体の飛び跳ねを防止して清浄効果を高めることが出来る遊技媒体清浄装置を提供すること。【解決手段】遊技島台内に貯留される遊技媒体の表面を清浄する清浄部材Ｓが上面に敷設された揺動板５２を揺動手段６１により水平方向に揺動させることにより、前記揺動板５２上に形成される遊技媒体清浄領域内の遊技媒体と清浄部材Ｓとが摺接して遊技媒体が清浄されるように構成されるとともに、清浄領域内の遊技媒体に当接して該遊技媒体を揺動板５２に向けて付勢する付勢手段７９を備え、該付勢手段７９における少なくとも遊技媒体との当接面は軟性部材１５１にて構成されている。【選択図】　　図８
2004057680.tif 000002
【特許請求の範囲】
【請求項１】
遊技機が設置される遊技島台内に設置され、該遊技島台内に貯留される遊技媒体の表面を清浄する清浄部材が上面に敷設された揺動板を揺動手段により水平方向に揺動させることにより、前記揺動板上に形成される遊技媒体清浄領域内の前記遊技媒体と前記清浄部材とが摺接して前記遊技媒体が清浄されるように構成された遊技媒体清浄装置であって、
前記清浄領域内の遊技媒体に当接して該遊技媒体を前記揺動板に向けて付勢する付勢手段を備え、
該付勢手段における少なくとも遊技媒体との当接面は軟性部材にて構成されていることを特徴とする遊技媒体清浄装置。
【請求項２】
前記付勢手段には、前記軟性部材を通して前記清浄領域内の遊技媒体を外部から視認可能な透明窓部が形成されている請求項１に記載の遊技媒体清浄装置。
【請求項３】
前記軟性部材は、耐摩耗性を有する素材にて構成されている請求項１または２に記載の遊技媒体清浄装置。
【請求項４】
前記付勢手段は、前記軟性部材と、該軟性部材を所定形状に保持する保持部材と、からなり、前記軟性部材と前記保持部材とは固定手段を介して一体化されている請求項１〜３のいずれかに記載の遊技媒体清浄装置。
【請求項５】
前記固定手段は、少なくとも前記清浄部材内の遊技媒体に接触しないように設けられている請求項４に記載の遊技媒体清浄装置。
【請求項６】
前記保持部材における前記軟性部材との対向面に、開口部または凹部が形成されている請求項４または５に記載の遊技媒体清浄装置。
【発明の詳細な説明】
【０００１】
【発明の属する技術分野】
本発明は、遊技機にて遊技を行う際に使用される遊技媒体の表面を清浄する遊技媒体清浄装置に関する。
【０００２】
【従来の技術】
従来、この種の遊技媒体清浄装置として、例えば当出願人が既に出願している特願２００１−３６６６６６号に記載された清浄装置等がある。
【０００３】
この清浄装置は、上面に清浄シートが敷設された揺動板が水平方向に偏心回動自在に設けられており、揺動板を偏心回転させることにより清浄シートの上面の遊技媒体が自転し、その際に清浄シートに摺接されて表面に付着された汚れやゴミ等が拭い取られるようになっている。
【０００４】
この清浄装置には、揺動板上のパチンコ玉が揺動板の揺動により上方に飛び跳ねて、清浄シートから離れて清浄作用が低減されるのを防止するための蓋部材（付勢手段）が、揺動板上のパチンコ玉の上面にフリーな状態で載置されるように設けられており、この蓋部材の自重によりパチンコ玉を揺動板上面に向けて付勢するようになっていた。
【０００５】
【発明が解決しようとする課題】
しかしながら、上記蓋部材は硬質のポリカーボネイト樹脂により構成されていたため、揺動板の揺動にともない蓋部材にも振動が伝達されると、パチンコ玉との衝突音が発生することがあった。
【０００６】
このような清浄装置は遊技島台内に設置して使用されるため、使用時において、衝突音が遊技者に不快感を与える恐れがあるという問題を有していた。
【０００７】
本発明は、このような問題点に着目してなされたもので、揺動板の揺動時において、遊技媒体との衝突音を発生させることなく、遊技媒体の飛び跳ねを防止して清浄効果を高めることが出来る遊技媒体清浄装置を提供することを目的とする。
【０００８】
【課題を解決するための手段】
上記課題を解決するために、本発明の遊技媒体清浄装置は、遊技機が設置される遊技島台内に設置され、該遊技島台内に貯留される遊技媒体の表面を清浄する清浄部材が上面に敷設された揺動板を揺動手段により水平方向に揺動させることにより、前記揺動板上に形成される遊技媒体清浄領域内の前記遊技媒体と前記清浄部材とが摺接して前記遊技媒体が清浄されるように構成された遊技媒体清浄装置であって、
前記清浄領域内の遊技媒体に当接して該遊技媒体を前記揺動板に向けて付勢する付勢手段を備え、
該付勢手段における少なくとも遊技媒体との当接面は軟性部材にて構成されていることを特徴としている。
この特徴によれば、付勢手段により遊技媒体を揺動板に向けて付勢することで、揺動板の揺動時において、遊技媒体が清浄部材から跳ね上がって離れてしまうことにより清浄効果が低減されるのが効果的に防止されるとともに、遊技媒体との当接面が軟性部材にて構成されていることで、遊技媒体との衝突による衝撃が軟性部材にて吸収されるため、衝突音の発生が効果的に抑制される。
【０００９】
本発明の遊技媒体清浄装置の前記付勢手段には、前記軟性部材を通して前記清浄領域内の遊技媒体を外部から視認可能な透明窓部が形成されていることが好ましい。
このようにすれば、付勢手段を設けた状態でも、透明窓部を通して清浄領域内の遊技媒体の状況を外部から確認することが出来る。
【００１０】
本発明の遊技媒体清浄装置の前記軟性部材は、耐摩耗性を有する素材にて構成されていることが好ましい。
このようにすれば、遊技媒体との接触にて摩耗したり、削りかす等が発生しにくくなるため、清浄効果が向上する。
【００１１】
本発明の遊技媒体清浄装置の前記付勢手段は、前記軟性部材と、該軟性部材を所定形状に保持する保持部材と、からなり、前記軟性部材と前記保持部材とは固定手段を介して一体化されていることが好ましい。
このようにすれば、軟性部材の形状が変形して遊技媒体との当接状態がかわることで、清浄作用のむらが生じるのが効果的に防止される。
【００１２】
本発明の遊技媒体清浄装置の前記固定手段は、少なくとも前記清浄部材内の遊技媒体に接触しないように設けられていることが好ましい。
このようにすれば、固定手段が遊技媒体に接触して遊技媒体を傷つけたり、清浄領域内における動きの妨げになることがないので、清浄作用の低減が防止される。
【００１３】
本発明の遊技媒体清浄装置の前記保持部材における前記軟性部材との対向面に、開口部または凹部が形成されていることが好ましい。
このようにすれば、少なくとも軟性部材における開口部または凹部に対応する箇所は保持部材による形状保持作用が弱くなるとともに、保持部材に衝撃が伝達されにくくなるので、軟性作用が保持部材にて損なわれるのを回避出来る。
【００１４】
【発明の実施の形態】
以下、図面に基づいて本発明の実施形態を説明すると、まず図１には、本発明の実施例としての清浄装置が適用された遊技島台１の内部構造を示す断面図が示されており、該遊技島台１は、その前後面に遊技機であるパチンコ機２と、該パチンコ機２において遊技に使用するパチンコ玉の貸出を実施させる玉貸処理機等と、が並設される通常の遊技島台である。
【００１５】
遊技島台１の略中央上部には、遊技媒体であるパチンコ玉が貯留される上部タンク３が設けられており、この上部タンク３内に貯留されたパチンコ玉は、遊技島台１内の長手方向両端部に向かってそれぞれ下方に傾斜するように配設された供給樋４に流入するようになっている。
【００１６】
これら供給樋４には、流下するパチンコ玉を各パチンコ機２に供給するための支流樋５が、供給樋４における図中前後側の側板に、流下方向に向かって所定間隔おきに複数配設されており、これら支流樋５に供給されたパチンコ玉は、各パチンコ機２の背面に設けられた玉タンク６に供給されるようになっている。
【００１７】
供給樋４の下流側端部には、例えばメンテナンス時等において供給樋４内のパチンコ玉を後述する下部樋１０内に流出させる玉抜き管７が設けられている。なお、通常時においてはこの玉抜き管７内をパチンコ玉が流下しないようになっている。
【００１８】
遊技島台１内の下部には、パチンコ機２より排出されたアウト玉を一時貯留するアウト玉タンク８が、パチンコ機２を載置する繕板１３の上面に、各パチンコ機２に対応するように複数設けられている。
【００１９】
繕板１３の下方には、パチンコ玉を貯留する下部タンク９、９’がそれぞれ設けられている。下部タンク９、９’内には、図１〜図３に示されるように、玉抜き管７及びオーバーフロー管（図示略）から排出されるパチンコ玉が流入する下部樋１０、１０’が、それぞれ遊技島台１における長手方向中央に向かって下方に傾斜するように配設されている。下部樋１０、１０’内を流下するパチンコ玉は、流下方向に向かって左右側の側板に複数形成された開口１１、及びその底板における下流側端部所定箇所に形成された開口１４（図３参照）を介して、下部タンク９、９’内にパチンコ玉がほぼ均等に貯留されるように排出される。
【００２０】
図１中向かって左側の遊技島台１の島端には、遊技者が獲得したパチンコ玉を計数するための計数装置１５が配設されており、この計数装置１５ａ内に投入されたパチンコ玉は、玉投入口１５ａから連設された排出路１６を介して下部樋１０’に流入し、下部タンク９’内に排出されて貯留されるようになっている。
【００２１】
下部タンク９、９’内における下部樋１０、１０’の流下方向に向かって左右側には、図２、図３に示されるように、各アウト玉タンク８から排出されるパチンコ玉を回収する側部樋１７、１７’が下部樋１０、１０’の両側に並設されている。側部樋１７、１７’の下流側端部は、各下部タンク９、９’における下流側所定箇所に設けられた仕切板２０を介して形成された合流部１８、１８’内まで延設されており、側部樋１７、１７’内に回収されたパチンコ玉は、その底板における下流側端部に形成された開口１９を介して合流部１８、１８’内に排出されるようになっている。
【００２２】
仕切板２０には、特に図３に示されるように、下部タンク９、９’内に貯留されたパチンコ玉を合流部１８、１８’内に排出させるための排出口２１が形成されているとともに、この排出口２１を開閉自在とするシャッタ２２が設けられている。
【００２３】
下部タンク９、９’における下流側端部の側板９ａ所定箇所には連通口２３、２３’が形成されており、合流部１８、１８’内に流入したパチンコ玉は、この連通口２３、２３’を通過して遊技媒体通路の一部を構成する中継樋２４、２４’内に流入し、さらに後述する遊技媒体案内路としての案内樋２８、２８’内に流入するようになっている。
【００２４】
案内樋２８、２８’内に流入したパチンコ玉は、後述する遊技媒体清浄装置としての清浄装置５０内に流入して清浄された後に排出樋２６から流出し、遊技島台１内の略中央部に設けられた揚送装置２５を介して揚送され、再び上部タンク３内に貯留される。このようにして遊技島台１内のパチンコ玉は循環するようになっている。
【００２５】
このように、遊技島台１内に配設される排出樋２６、供給樋４、支流樋５、下部樋１０、１０’、オーバーフロー樋１２、側部樋１７、１７’、合流部１８、１８’、中継樋２４、２４’、案内樋２８、２８’等により、パチンコ玉が少なくともパチンコ機２と後述する清浄装置５０とを介して遊技島台１内を循環するように構成されている。
【００２６】
遊技島台１内には図示しない制御装置が設けられており、上部タンク３や下部タンク９、９’内におけるパチンコ玉の貯留状況に応じて前述したシャッタ２２の開閉や揚送装置２５の揚送等を制御してパチンコ玉を循環させるようになっている。
【００２７】
例えば、通常時においては排出口２１はシャッタ２２により閉塞されており、側部樋１７、１７’に回収されるパチンコ玉が下部タンク９、９’内に貯留されているパチンコ玉よりも優先して清浄装置５０内に流入して清浄された後に揚送装置２５により揚送されるようになっている。すなわち、パチンコ機２にて遊技に使用されて排出されたパチンコ玉が優先的に清浄されるのである。そして、上部タンク３内におけるパチンコ玉の貯留量が少なくなった場合や、下部タンク９、９’内におけるパチンコ玉の貯留量が所定量を超えた場合等においてシャッタ２２を開放してパチンコ玉を流出させ、上部タンク３内に揚送する。
【００２８】
なお、本実施例における遊技島台１は、上部タンク３や下部タンク９、９’内部に貯留されたパチンコ玉のみを制御により循環して使用するいわゆる独立式の遊技島台であるが、例えば遊技場内に並設される他の遊技島台と上部タンク同士を適宜連結樋等により連結して、他の遊技島台間でパチンコ玉の貯留量の調整を行えるようにしてもよい。また、遊技者が獲得したパチンコ玉を計数する計数装置が各パチンコ機２に対応して設けられ、各遊技島台内においてパチンコ玉を循環使用することが可能に構成されたユニット式の遊技島台であってもよい。
【００２９】
図３中２点鎖線で示される符号２７は、例えば後述する清浄装置５０が何らかの理由で故障した場合等において、下部タンク９、９’内のパチンコ玉を清浄装置５０内に流入させることなく揚送装置２５内に連通させるためのバイパス樋である。下部タンク９、９’の側板９ａ及び中継樋２４’の側板の一部には連通口２９ａ、２９ｂがそれぞれ形成されており、このバイパス樋２７を清浄装置５０の上方に配置した際に、連通口２９ａ、２９ｂを介して合流部１８及び中継樋２４’内のパチンコ玉がバイパス樋２７に流入するようになっている。本実施例においては、通常時においてこれら連通口２９ａ、２９ｂは図示しないシャッタにより閉塞されており、上記したように清浄装置５０が故障した場合等に応じてバイパス樋２７が配設され、前記シャッタを開放することにより合流部１８、１８’内のパチンコ玉を清浄装置５０を通過させることなく揚送装置２５に流入させることが出来るようになっている。また、このようにバイパス樋２７を配設可能としておくことで、清浄装置５０が正常に駆動している状態において前記パチンコ玉を前記清浄装置５０を通過させることなく揚送装置２５に流入させて循環させる必要が生じた場合においても対応することが可能となる。
【００３０】
なお、本実施例においては、バイパス樋２７は必要に応じて設けられるようになっていたが、言うまでもなく常設しておいてもよい。さらに、連通口２９ａ、２９ｂに設けられるシャッタは手動により開閉するものであるが、上記シャッタを清浄装置５０の駆動状況に応じて自動的に開閉するように設けてもよい。
【００３１】
図４には、本実施例に適用された揚送装置２５が示されている。揚送装置２５の外形を構成する上下方向に延びる縦長の箱体３０内には、特に図４（ａ）、（ｂ）に示されるように駆動歯車３１が上部に回動自在に設けられているとともに、従動回転体３２が下部に回動自在に設けられており、これら駆動歯車３１と従動回転体３２とには、特に図４（ｃ）に示されるように所定量のパチンコ玉を収容可能なバケット３３が、リベット３６を介して外面に複数取り付けられた無端状のタイミングベルト３４が掛け渡されている。駆動歯車３１、従動回転体３２には、バケット３３をタイミングベルト３４に止めるリベット３６との接触を回避するための環状の溝部Ｍがそれぞれ２箇所ずつ形成されている。
【００３２】
図４（ｃ）に示されるように、タイミングベルト３４の内面は駆動歯車３１の刃部に噛合するように凹凸状に形成されており、箱体３０の上部外方に固設される駆動モータ３５が駆動して駆動歯車３１が回転することにより、その回転力がタイミングベルト３４に伝達されてタイミングベルト３４が図４（ａ）に示されるように回転し、箱体３０の下部に形成されるパチンコ玉の流入口３７から流入するパチンコ玉が回転してきた空のバケット３３内に所定量ずつ収容されて揚送され、箱体３０の上部に形成される排出口３８から（上部タンク３内）に排出される。
【００３３】
従動回転体３２は、箱体３０内下部に昇降自在に設けられた移動体３９の下端に回転自在に設けられており、外方から操作可能に設けられたレバー４０を介して移動体３９を上昇させることによりタイミングベルト３４を取り外し出来るようになっている。
【００３４】
詳しくは、移動体３９は、その所定箇所に固定されたネジ４２が箱体３０所定箇所に形成された上下方向を向く長孔４１内に摺動自在に挿通されていることにより上下方向に移動自在に案内されているとともに、一端が箱体３０内所定箇所に係止された引張りバネ４３の他端が係止されて常時上方に付勢されている。移動体３９の上方には、レバー４０が回転軸４４を中心に回動自在に設けられており、図４（ｂ）に示されるようにレバー４０を上下方向を向く位置に保持した際に、レバー４０の下端に形成されたローラ４５により移動体３９の上端が下方に押圧されて下降して下限位置に保持され、レバー４０を手前側に回動させた際には、ローラ４５による押圧状態が解除されて移動体３９が引張りバネ４３の作用により上昇する。
【００３５】
このように、レバー４０の操作により従動回転体３２を昇降させて箱体３０の側板の一部を取り外すことにより、タイミングベルト３４を容易に取り外すことが出来るように構成されているため、バケット３３の破損やタイミングベルト３４の交換等、種々のメンテナンスを容易に行うことが出来る。また、揚送装置２５の流入口３７には、前述した排出樋２６の下流側端部が接続される。
【００３６】
このように構成される揚送装置２５によって後述する清浄装置５０により清浄されたパチンコ玉を揚送する場合、清浄されたパチンコ玉はバケット３３内に収容された状態で揚送されるので、例えばスクリューコンベア式やスプロケット式等の他の揚送装置のように、揚送されるパチンコ玉が揚送中に他の部材等に接触することがない。よって、清浄されたパチンコ玉を汚すことなく、また、接触により帯電させることなく揚送出来る。
【００３７】
なお、本実施例においては、上記のような理由からこのようなバケット式の揚送装置を遊技島台１に適用しているが、言うまでもなく他の揚送装置を適用してもよい。
【００３８】
次に、図５〜図２１に基づいて、本発明実施例としての遊技媒体清浄装置としての清浄装置５０の構成及び作用を説明する。
【００３９】
まず図５〜図７に示されるように、清浄装置５０の本体を構成する基体５１と、この基体５１の上方に揺動自在に設けられる揺動板５２上に流入するパチンコ玉を清浄する清浄部材としてのシート部材Ｓを収納するための収納ユニット５３と、から主に構成されている。
【００４０】
基体５１は、上面と一側面が開口する箱状に構成されており、互いに対向する側板５４、５４の長手方向両端側上部間には、２本のガイドレール５５、５５が架設されており、このガイドレール５５、５５上には、後述する枠体５６が載置されているとともに、この枠体５６の上方には前述した案内樋２８、２８’が設けられている。また、一方の側板５４の上端部には、前述した排出樋２６が固着されている。
【００４１】
基体５１の内部には、前記収納ユニット５３が、基体５１の底板５８に固着された引出しレール５７、５７を介して前方に引き出し自在に収容されている。また、底板５８の上面略中央位置には、揺動板５２を揺動させる揺動手段を構成する揺動モータ５９が、その回転軸６０（駆動軸）が鉛直上方を向くように固定部材６１を介して取り付けられている。なお、固定部材６１と底板５８との間には、図８に示されるように防振ゴム６２が設けられており、揺動モータ５９の振動の基体５１への伝達が抑制されるようになっている。
【００４２】
図６及び図８に示されるように、回転軸６０の上端には、内部に上下方向を向く貫通路６３が形成された円柱形の偏心軸部材６４が、この貫通路６３内に回転軸６０を嵌挿した状態で、偏心軸部材６４の外周面所定箇所に形成されたネジ孔（図示略）より固定ネジ（図示略）を螺入することにより、回転軸６０に対して相対回転不能に取り付けられている。この貫通路６３は、特に図８に示されるように偏心軸部材６４の中央軸心に対して偏心した位置に形成されているため、偏心軸部材６４の軸心は回転軸６０の軸心に対して偏心することになり、回転軸６０の回転により偏心軸部材６４が偏心回転するようになっている。
【００４３】
回転軸６０における偏心軸部材６４の下方には、ディスク部材６５ａが溶接により一体的に固着されているとともに、このディスク部材６５ａの上面における偏心軸部材６４の偏心方向の反対側所定箇所には、ウェイト部材６５ｂが取り付けられ、これらディスク部材６５ａとウェイト部材６５ｂとによりバランスウェイト６５が構成されており、このバランスウェイト６５により偏心軸部材６４の偏心回転時におけるバランスが保持されるようになっている。
【００４４】
このウェイト部材６５ｂは、特に図示しないがディスク部材６５ａに対してネジ（図示略）により着脱自在に取り付けられているとともに、ディスク部材６５ａにはこのネジのネジ孔（図示略）が複数形成されているため、揺動板５２の揺動時における偏心バランスにずれが生じた場合にウェイト部材６５ｂの取付位置を適宜替えることにより、偏心バランスを調整出来るようになっている。よって、組み付ける揺動板５２の成形精度等が製品ごとに異なっていても、揺動板５２の組み付け後においても偏心バランスを容易に調整出来る。
【００４５】
また、偏心軸部材６４の周面には、自動調心機能を備えるベアリング６６（軸受）が環装されているとともに、このベアリング６６の外周には、揺動板５２の裏面略中央位置にネジ固定される取付リング６７が嵌合されている。このベアリング６６は、特に図１９に示されるように、外輪６６ａと、偏心軸部材６４の上端に環装される内輪６６ｂと、転動体としての複数の球６６ｃと、この球を２列状に整列させた状態で内輪に保持する保持器６６ｄと、から構成される、いわゆる玉軸受である。外輪６６ａにおける軌道面は、ベアリング６６の中心点を中心とした球面状に形成されていることにより、球６６ｃ、保持器６６ｄ、内輪６６ｂが外輪６６ａの軸心に対してある程度傾いた状態でも円滑に回動させる傾動許容機構が構成されているため、このベアリング６６は自動調心性を有している。
【００４６】
平面視矩形状に形成された揺動板５２の裏面四隅には、図６及び図８に示されるように、下端が底板５８の上面四隅に固着された回転規制部材６８の上端が固着されており、この回転規制部材６８により、調心機能を備えるベアリング６６を介して偏心軸部材６４に回転自在に枢着されている揺動板５２が水平状態に保持されるとともに、偏心軸部材６４の回転に追従して揺動板５２が水平方向に回転しようとする運動を牽制するようになっている。
【００４７】
回転規制部材６８は、揺動板５２及び底板５８に取り付けるための上下の取付板６９、６９’と、取付板６９、６９’にそれぞれ固着される硬質ウレタン等の合成樹脂材からなる変形部材７０、７０’と、上下の変形部材７０、７０’間を連結する棒状の金属材からなる連結棒７１と、からそれぞれ構成されており、揺動板５２の揺動時において上下の変形部材７０、７０’及び連結棒７１が変形することにより揺動板５２の所定範囲内の揺動を許容するとともに、弾性復帰力によって、偏心軸部材６４の回転に追従して揺動板５２が水平方向に回転しようとする運動を牽制する。さらに、この回転規制部材６８を介して揺動板５２と底板５８とが連結されていることになるため、偏心回転時における揺動板５２端部側の上下方向のあばれが抑制され、揺動時におけるパチンコ玉の飛び跳ね等が効果的に抑制される。
【００４８】
このように揺動板５２は、回転軸６０の先端に固着された偏心軸部材６４に対して、自動調心性を有するベアリング６６を介して相対回動自在に枢着されているため、ベアリング６６による調心作用により、揺動板５２に固着された取付リング６７に固着される外輪６６ａに対する偏心軸部材６４に嵌合される内輪６６ｂの傾動、すなわち、外輪６６ａの軸心に対して内輪６６ｂが傾いた状態でも円滑に回動する。
【００４９】
よって、偏心軸部材６４に対する揺動板５２の取付け精度や、揺動板５２上にパチンコ玉が偏って滞留する等、何らかの要因により、揺動板５２のいずれかの端部側が傾くなどして水平バランスが崩れることにより、外輪６６ａが内輪６６ｂの軸心に対して傾いた状態となって軸心に狂いが生じた場合や、逆に、揺動板５２が水平に敷設された状態において、偏心軸部材６４の加工誤差等により偏心軸部材６４の軸心が回転軸６０の軸心に対して傾いてしまったり、あるいは回転軸６０が外輪６６ａの軸心に対して傾いた状態で揺動モータ５９が固設されること等によって軸心に狂いが生じた場合等にあっても、回転軸６０やベアリング６６に無理な負荷がかかることがないので、揺動時において回転軸６０やベアリング６６から異音が発生すること等がない。また、回転軸６０やベアリング６６に無理な負荷が加わった状態での揺動が長期的に実行されること等により、回転軸６０やベアリング６６が破損して揺動板５２が揺動しなくなるといった事態が回避されるので、揺動板５２の揺動が安定的に行われる。
【００５０】
また、このように本実施例における揺動板５２は、該揺動板５２の下方に配置した揺動モータ５９の回転軸６０に固着された偏心軸部材６４に対して回動自在に枢着され、回転軸６０の回転により水平方向に偏心回動するように設けられているため、複雑な機構等を用いることなく、揺動板５２を簡単な構造で水平方向に揺動させることが出来る。
【００５１】
揺動板５２の上面全域には、ゴムシート７２が貼着されており、パチンコ玉の清浄時における振動や、パチンコ玉との衝突による騒音等が吸収されるようになっているとともに、揺動板５２の揺動時における上面に敷設されるシート部材Ｓとの滑りが防止されている。そしてこのゴムシート７２の上面には、案内樋２８、２８’から流入するパチンコ玉の表面に付着された汚れを除去する清浄部材としての布製のシート部材Ｓが敷設される。
【００５２】
このシート部材Ｓは、後述するように収納ユニット５３内に収納された新規なシート部材Ｓが揺動板５２上に引き出されて敷設され、使用後は適宜巻取られるようになっている。このシート部材Ｓの材質は、ここでは柔軟性を有するコットン１００％の不織布が使用されている。ここでは、摩耗性に優れるとともに、帯電しにくく、かつ、低発塵性を有する不織布が使用されているため、シートが破損しにくいばかりか、パチンコ玉との摺接による静電気の発生が防止されるとともに、パチンコ玉との摺接や後述する巻取り時における発塵が少ないため、周囲の各装置内への粉塵の進入が防止される。また、本実施例におけるシート部材Ｓの裏面は、揺動板５２の揺動時における揺動板５２への追従作用を損なわない程度の滑動性を有するナイロン樹脂によりコーティングされており、巻取時におけるシート部材Ｓの破損や後述する巻取モータの巻取時にかかる負荷が軽減されるようになっている。
【００５３】
なお、清浄部材としてのシート部材Ｓは、パチンコ玉の表面に付着された汚れを除去し得るものであれば材質は上記のような布製の不織布に限定されるものではなく、例えば織布や、紙等の他の素材からなるシート部材を使用することも可能である。
【００５４】
このように、揺動板５２上にシート部材Ｓが敷設されることで、後述するように揺動板５２が水平方向に高速で偏心回転することにより、シート部材Ｓ上のパチンコ玉が自転してその表面がシート部材Ｓに擦りつけられて清浄されることになる。なお、清浄作用の詳細に関しては後述することとする。
【００５５】
揺動モータ５９の回転軸６０に対して偏心する偏心軸部材６４の軸心周りに回動自在に枢着された揺動板５２は、図８に示されるように、その上面とガイドレール５５の下面との間に、シート部材Ｓを挿通可能な小寸の隙間Ｐが形成されるように、ガイドレール５５よりも若干下方の高さ位置に支持されており、後述するようにその隙間からシート部材Ｓを挿通出来るようになっている。また、揺動板５２における収納ユニット５３のスライド移動方向側の両端部は下方に向けて屈曲されて屈曲部５２ａが形成されており、挿通されるシート部材Ｓがゴムシート７２の上面にスムーズに案内されるようになっている。
【００５６】
ガイドレール５５、５５の上部には前述した枠体５６が載置され、揺動板５２上に流入したパチンコ玉が清浄される清浄領域Ｚが後述するガイド部材により形成されるようになっている。詳しくは、枠体５６は、図８及び図９に示されるように、下部フレーム５６ａと、この下部フレーム５６ａの一側端に取り付けられた蝶番７５を介して下部フレーム５６ａに対して回動自在に取り付けられた上部フレーム５６ｂと、から構成されている。
【００５７】
下部フレーム５６ａの中央部は開口されており、該開口の両側には基体５１の上方を閉塞する板部材１５０ａ、１５０ｂが設けられており、一方の板部材１５０ａの上面には、遊技媒体清浄領域としての清浄領域Ｚ（図２０参照）から流出したパチンコ球を排出樋２６に導くためのガイド片７６が設けられている。
【００５８】
上部フレーム５６ｂは四角枠状に構成されており（図７参照）、蝶番７５の反対側の側辺両端部には、下部フレーム５６ａに設けられた係止部７７ａに係脱自在なフック７７ｂが設けられ、閉状態に保持できるようになっているとともに、上部フレーム５６ｂにおける蝶番７５が設けられた側辺及びその反対側の側辺所定箇所には、揺動板５２上に流入されたパチンコ玉の揺動時における飛びはねを規制するとともに、自重によりパチンコ玉を揺動板５２の上面に敷設されるシート部材Ｓに向けて付勢する付勢部材としての蓋部材７９を保持する内向きに屈曲する略Ｌ字状の保持片７８が複数設けられている。
【００５９】
本実施例における付勢手段としての蓋部材７９は、特に図１０に示されるように、透明で軟質性を有する塩化ビニル樹脂からなる軟性部材としての薄肉の透明シート１５１と、この透明シート１５１をシート状に保持するための保持部材としてのアルミ製の保持板１５２と、から構成されている。保持板１５２の略中央部には、遊技媒体案内路としての案内樋２８、２８’の排出部としての落下口１２７（図１９参照）から落下するパチンコ玉を、揺動板５２上面と透明シート１５１の下面との間に流入させるための流入口８０を構成するための開口部１５３が形成されているとともに、開口部１５３の周囲には、揺動板５２上面とこの蓋部材７９下面との間に流入したパチンコ玉の清浄状況を、保持板１５２の上方から視認するための透視窓部を構成する開口部１５４が複数形成されている。
【００６０】
中央の開口部１５３には、流入口８０を通過したパチンコ玉が揺動板５２の揺動により移動する方向に向けて下方に傾斜する傾斜片８１ａを有する誘導部材８１が取り付けられており、流入口８０を通過したパチンコ玉が揺動板５２の揺動により移動する方向に向けて円滑に移動するようになっている。また、図中手前側の端辺部所定箇所には、保持片７８を挿通させるための切欠部１５５が形成されている。
【００６１】
透明シート１５１は、開口部１５３に対応する箇所に流入口８０を構成するための開口部１５７が形成されているとともに、保持板１５２の切欠部１５５に対応する箇所には同形の切欠部１５６が形成されており、図示しない両面粘着テープを介して保持板１５２下面に貼着されている。また、透明シート１５１の下面における開口部１５７の近傍には、揺動板５２における回転軸６０の近傍位置にパチンコ玉が停留するのを防止するための円柱形の停留防止部材１５８が取り付けられている。
【００６２】
なお、透明シート１５１と保持板１５２とを一体的に固定する固定手段として、図示しない両面粘着テープを用いるのは、両者を固定する固定手段が透明シート１５１の下面に露呈してパチンコ玉に当接することがないようにするためであり、これにより清浄領域Ｚ内におけるパチンコ玉の円滑な移動が妨げられて清浄作用が低減するのが防止されている。
【００６３】
透明シート１５１の下面には、揺動板５２上におけるパチンコ玉に当接して揺動板５２上からのパチンコ玉の落下を防止するとともに、パチンコ玉の清浄領域Ｚを揺動板５２上に形成するガイド部材７３が、透明シート１５１を挿通して保持板１５２の裏面に形成されたネジ孔（図示略）に螺入される透明シート１５１と保持板１５２とを一体的に固定するための固定手段としてのネジ１５９を介して蓋部材７９に一体的に取り付けられている。なお、このネジ１５９も清浄領域Ｚ内に露出しないように、ガイド部材７３内を挿通して設けられているため、清浄領域Ｚ内におけるパチンコ玉の円滑な移動が妨げられて清浄作用が低減するのが防止される。
【００６４】
ガイド部材７３は、耐疲労性が高く、かつ、自己潤滑性に富み、低摩擦係数、低摩耗性を有するポリアセタール樹脂からなり、その内周縁、すなわち、パチンコ玉との接触面は、平面視で略円弧状をなす第１ガイド辺としての円弧状ガイド辺７３ａと、円弧状ガイド辺７３ａの所定箇所から、パチンコ玉の流出部１２８方向に向けて直線状に延びるように形成される第２ガイド辺としての直線状ガイド辺７３ｂと、からなるパチンコ玉のガイド辺として形成されている。
【００６５】
また、円弧状ガイド辺７３ａの端部と直線状ガイド辺７３ｂとの間はパチンコ玉の流出部１２８を形成すべく所定距離離間されており、この円弧状ガイド辺７３ａの端部には、ガイド辺の一部を構成するとともに、流出部１２８からのパチンコ玉の流出量を調節するための流出幅調節部材であるスライド部材１６０が流出部１２８に対して出退（動作）自在に設けられている。
【００６６】
スライド部材１６０は、ガイド部材７３と同様にポリアセタール樹脂からなり、特に図１１（ａ）、（ｂ）に示されるように、ガイド部材７３に形成された内向きに開口する長溝１６１内に摺動自在に嵌挿される直線状部１６０ａと、この直線状部１６０ａに連設される先端部１６０ｂとから構成されている。これら直線状部１６０ａから先端部１６０ｂにかけて連続するパチンコ玉との接触面１６０ｃの先端部１６０ｂ付近には内向きに湾曲する湾曲面が形成されている。なお、直線状部１６０ａの接触面１６０ｃは、特に図１１（ｂ）に示されるように、ガイド部材７３の内面（パチンコ玉との接触面）に対して面一になるように形成されているため、スライド部材１６０を長溝１６１内にて摺動させても両者の接触面間に段部が出来て玉詰まりが生じることがない。
【００６７】
また、ガイド部材７３の外側面における長溝１６１に対応する所定箇所には、スライド部材１６０の固定手段としての２本の止めネジ１６２が螺入されており、この止めネジ１６２を緩めることでスライド部材１６０が長溝１６１内で摺動自在となり、止めネジ１６２を締め付けることで長溝１６１内での摺動が不能となって固定されるようになっている。
【００６８】
このように、図１１（ａ）中矢印で示されるようにスライド部材１６０を長溝１６１内で摺動させることで、ガイド部材７３に対してスライド部材１６０が伸縮して、後述するように流出部１２８の流出幅が可変するようになっているとともに、所望の位置で移動不能に固定出来るようになっている。
【００６９】
さらに、直線状部１６０ａの下面には、スライド部材１６０の伸縮幅を調節する際の目安となる標示部としてのマーク１６３が、長手方向に向けて所定間隔おきに複数設けられているため、例えばいずれかのマーク１６３がガイド部材７３の端部に位置した状態で止めネジ１６２により固定することで、スライド部材１６０を調節する際に常に予め定められた位置で固定することが出来る。このようにマーク１６３を目安にして予め定められた複数の固定位置それぞれでスライド部材１６０を固定出来るようにすれば、それぞれの固定位置でスライド部材１６０を固定した場合におけるパチンコ玉の流出量を予測しやすくなるため、パチンコ玉の流出量の調節が容易になる。
【００７０】
なお、本実施例においては、マーク１６３を目安にすることなくスライド部材１６０を任意の位置で固定することが出来るようになっているが、スライド部材１６０をスライド移動不能に固定する固定手段は止めネジ１６２等に限定されるものではなく、例えば図１２に示されるように、ガイド部材７３’に形成した長溝１６１’の内側面の長手方向に向けて所定間隔おきに複数形成された弾性変形可能な内向きの凸部１６４と、スライド部材１６０’における凸部１６４との対向面の長手方向に向けて所定間隔おきに複数形成された弾性変形可能な外向きの凸部１６５と、で形成し、凸部１６４、１６５同士の係止作用によってスライド部材１６０’が複数の固定位置で固定されるようにしてもよく、このようにすれば、スライド部材１６０’をスライドさせるだけで自動的に固定されるため、固定作業が容易になる。
【００７１】
これらガイド部材７３及びスライド部材１６０は、ネジ１５９を介して透明シート１５１及び保持板１５２とからなる蓋部材７９に一体的に取り付けられる。そして、蓋部材７９は、図９に示されるように、上部フレーム５６ｂを下部フレーム５６ａから開放した状態で、保持片７８と上部フレーム５６ｂの突出片８２（図８参照）との間に、切欠部１５５、１５６を介して差し込むようにして上部フレーム５６ｂの下面に取付けられる。
【００７２】
このように蓋部材７９を取り付けた枠体５６は、図８に示されるように、下部フレーム５６ａ側端辺を断面略Ｌ字状のガイドレール５５、５５の上面にそれぞれ載置するように基体５１の上部に設けられる。この状態で蓋部材７９は、その両端辺部が保持片７８の上面に載置され、その透明シート１５１の下面が揺動板５２の上面のゴムシート７２の上面からパチンコ玉の直径よりも若干小寸の距離分だけ離間した高さ位置に保持されることになる。そして、透明シート１５１の下面とゴムシート７２の上面との間にパチンコ玉が流入されると、流入したパチンコ玉により蓋部材７９が若干上昇することになる。
【００７３】
蓋部材７９は、揺動板５２よりも若干大きめの板状に形成されているとともに、主に透明シート１５１と、該透明シート１５１をシート状に保持するアルミ製の保持板１５２とからなり、主にこの保持板１５２が所定重量を有しているため、この自重により揺動板５２上のパチンコ玉が揺動板５２の上面に敷設されるシート部材Ｓに向けて付勢されることになり、これにより揺動板５２の偏心回転時においてパチンコ玉が上方に飛び跳ねてシート部材Ｓから離れるのが防止されるため、パチンコ玉とシート部材Ｓとの摺接作用が高まることになる。
【００７４】
また、蓋部材７９の上昇範囲は突出片８２により規制されるとともに、パチンコ玉との当接面が軟質性を有する透明シート１５１の下面であるため、揺動板５２が揺動しても蓋部材７９が上下方向に大きくがたつくことがないので、パチンコ玉はシート部材Ｓに向けて効果的に付勢される。
【００７５】
さらに、揺動板５２上に流入したパチンコ玉は、揺動板５２が水平方向に揺動しても、その周囲に設けられるガイド部材７３及びスライド部材１６０にガイドされ、流出部１２８以外の箇所からの揺動板５２からの逸脱が防止されるため、これらガイド部材７３及びスライド部材１６０によって清浄領域Ｚが形成される。
【００７６】
また、ガイド部材７３及びスライド部材１６０は、揺動板５２の揺動に追従しない蓋部材７９に設けられているため、揺動板５２の揺動や、後述するようなシート部材Ｓの引出しにより、敷設されたシート部材Ｓが捩れたりめくれるなどして揺動板５２上面が露出することがないため、ガイド部材７３の近傍に位置するパチンコ玉が清浄されなくなることがなく、揺動板５２上の全てのパチンコ玉を偏りなく清浄出来るばかりか、揺動板上に敷設されたシート部材Ｓにより揺動板５２の揺動が規制されることがない。
【００７７】
さらに、ガイド部材７３及びスライド部材１６０は枠体５６の開放とともに揺動板５２上から除去されるため、後述するようなシート部材Ｓの交換作業時等のメンテナンス作業をする際において揺動板５２上のパチンコ玉を外部に払い出す際において、流出部１２８から流出させなくても一度に払い出すことが出来る。
【００７８】
また、蓋部材７９におけるパチンコ玉との当接面は、軟質の塩化ビニル樹脂からなる透明シート１５１にて構成されているため、揺動板５２の偏心回転にともなう振動によりパチンコ玉と衝突することがあっても、衝突による衝撃が透明シート１５１により吸収されるため、清浄領域Ｚ内にある複数のパチンコ玉との衝突音の発生が効果的に抑制され、清浄装置５０の駆動時における騒音の発生が防止される。
【００７９】
また、保持部材１５２には複数の開口部１５４が形成されているため、この開口部１５４の上方から揺動板５２を覗めば、透明シート１５１を通してこの下方のパチンコ玉の状況を視認することが出来る。さらに、透明シート１５１における複数の開口部１５４に対応する箇所は、該対応する箇所以外の箇所に比べて変形しやすいことから、透明シート１５１の軟性作用が高くなっている。よって、パチンコ玉との衝突による衝撃が保持板１５２に伝達されにくくなるので、衝撃音の吸収性が効果的に高まり、消音効果が向上することになる。
【００８０】
また、この開口部１５４は部分的に形成されており、全体的には薄肉の透明シート１５１の形状は保持板１５２により板状に保持されているため、全体形状が著しく変形してパチンコ玉との当接作用が著しく損なわれて清浄むらが生じることもない。
【００８１】
なお、本実施例におけるパチンコ玉の付勢手段としての蓋部材７９にあっては、パチンコ玉との接触面が軟質性を有する塩化ビニル樹脂製の透明シート１５１にて構成されていたが、本発明はこれに限定されるものではなく、蓋部材７９におけるパチンコ玉との当接面は、パチンコ玉を付勢出来るとともに、パチンコ玉との衝突による衝撃を吸収しうる素材にて構成されていれば、上記塩化ビニル樹脂に限定されるものではなく、例えばゴム等の軟質性を有する他の素材にて構成されていてもよい。
【００８２】
また、図１４に示されるように、上部フレーム５６ｂの上方には、遊技媒体案内路としての案内樋２８、２８’が設けられている。これら案内樋２８、２８’は、詳しくはそれぞれの上流側端部から下方に屈曲形成された屈曲片２８ａ、２８ａ’が上部フレーム５６ｂにビス止めされるとともに、その下流側所定箇所が蓋部材７９上に荷重が加わらないように支持棒１２６により支持され、また、これら案内樋２８、２８’の対向する端部間に、パチンコ玉を落下させるための落下口１２７が形成されるように設けられており、この落下口１２７の下方に蓋部材７９の流入口８０が配設されている。なお、案内樋２８、２８’との間には、両案内樋２８、２８’から流下してくるパチンコ玉の落下口１２７内への流入量に偏りが生じないようにするための仕切板１６６が設けられている。
【００８３】
このように、揺動板５２上を覆うように付勢部材としての蓋部材７９が設けられても、流入口８０が形成されていることにより蓋部材７９の上方に設けられる案内樋２８、２８’の排出口１２７から落下するパチンコ玉を清浄領域Ｚ内に流入させることが出来る。また、蓋部材７９は、揺動板５２上面の少なくとも一部を開放出来るように設けられているとともに、この蓋部材７９と案内樋２８、２８’とは、枠体５６を介して互いに一体的に設けられており、さらにこの枠体５６は、基体５１に対して取り外し自在に設けられているため、後述するシート部材Ｓの交換や装置のメンテナンス等の作業性が効果的に向上するばかりか、排出口１２７と流入口８０との配置関係を変えることなく、基体５１に対して取付けたり取り外したりすることが出来るため、作業性が向上する。
【００８４】
次に、収納ユニット５３の構成を説明する。収納ユニット５３は、前述したように基体５１に対して引き出しレール５７、５７を介して引き出し自在に設けられており、全体は、図６及び図１３に示されるように、中空の芯材８５の外周に多重に巻回されたロール状のシート部材Ｓを収納可能とする上向きに開口する補給部としての補給用箱体８６と、引き出したシート部材Ｓを中空の巻取り用の芯材８３に巻回して収納することが可能な上向きに開口する収納用箱体８４とが、それぞれ基体５１内への収納時において揺動モータ５９の両側に収納されるように、互いに所定距離離間した状態で連結板８７を介して一体化されることにより構成されている。なお、連結板８７の外面には取手８８が設けられているとともに、基体５１内の収納時において基体５１の底板５８上に設けられた磁石８９に金属製の連結板８７が吸着されることにより、収納位置に保持されるようになっている。
【００８５】
収納用箱体８４及び補給用箱体８６における引出し側は、上下方向を向く軸部材９１、９２により一端が軸支された開閉扉９３、９４によりそれぞれ開閉自在に構成されているとともに、開閉扉９３、９４内面には、芯材８３、８５の一端を回転自在に保持する保持体９５、９６が、軸部材９７、９８を介して回転自在に取り付けられている。
【００８６】
収納用箱体８４における開閉扉９３に対向する側板９９には、一端が保持体９５により回転自在に保持される芯材８３の他端を保持する駆動保持体１００が、側板９９に回転自在に貫通される軸部材１０１に対して回転不能に取り付けられている。駆動保持体１００の周面所定箇所には、芯材８３の端部に形成された切欠部１０２に挿通して駆動保持体１００に対する芯材８３の回転を規制する係止ピン１０３が突設されている。軸部材１０１の他端側には、収納用箱体８４における側方に固設される引出し手段としての巻取モータ１０４の回転軸１０５の先端に固着された駆動プーリ１０６の回転を、ベルト１０７を介して軸部材１０１に伝達するための従動プーリ１０８が固着されており、巻取モータ１０４が駆動することにより駆動保持体１００及び芯材８３が回転してシート部材Ｓの巻取りが行われ、補給用箱体８６内に収容された新規なシート部材Ｓが所定量ずつ揺動板５２の上面に引き出されるようになっている。
【００８７】
また、収納用箱体８４の側板１１４の内面所定箇所には、後述するようにシート部材Ｓの交換時期を報知するために用いられる検出センサ１０９（図１３、１４参照）が設けられている。具体的には、検出センサ１０９は投・受光部を備える光センサであり、この検出センサ１０９が図１３中円形の１点鎖線にて囲まれた領域に示されるように、芯材８５の外周に巻回されたシート部材Ｓの巻取り最終端部から所定長さ（本実施例では約２メートル）前に設けられた黒色帯状に着色された被検出部１６６が検出されることで、この信号が後述する制御部に出力されて交換時期が報知される。
【００８８】
補給用箱体８６における開閉扉９４に対向する側板１１０には、一端が保持体９６により回転自在に保持される芯材８５の他端を保持するフランジ部１１１ａと、芯材８５内に嵌挿される支持体１１１ｂとからなる保持体１１１が、側板１１０に設けられた軸部材１１２に対して回転自在に取り付けられている。この保持体１１１は、コイルバネ１１３を介して芯材８５を保持体９６方向に向けて付勢されているため、シート部材Ｓの巻取時において芯材８５が回転しにくくなるようになっている。すなわち、保持体９６に回転抵抗を付与するコイルバネ１１３により、巻取時において芯材８５が回転することによりシート部材Ｓが余分に引き出されることにより引き出されたシート部材Ｓに撓みが生じるのが防止されるため、引き出されたシート部材Ｓを張設状態に保持する保持手段が構成されている。
【００８９】
また、これら収納用箱体８４及び補給用箱体８６における互いに対向する側の側板１１４、１１５の上部には、図６及び図１４に示されるようにシート部材Ｓが揺動板５２上に張設されるように案内するガイド片１１６、１１７が設けられている。また、主に図１３、図１４に示される１６７、１６８は、ガイド片１１６、１１７と芯材８３、８５との間に張設されるシート部材Ｓの揺動板５２の偏心回転時におけるあばれを防止するための補助パイプである。
【００９０】
ここで、シート部材Ｓを揺動板５２上に敷設する方法を説明する。
【００９１】
まず、図６に示されるように収納ユニット５３を基体５１から引き出した状態で、開閉扉９３、９４を図１３に示されるように開放する。そして巻取用の芯材８３の一端を、切欠部１０２内に係止ピン１０３に係止させて駆動保持体１００に保持した後、開閉扉９３を閉塞して芯材８３の他端側を保持体９５により保持させる。また、外周に新規なシート部材Ｓが多重に巻回された芯材８５の一端を保持体１１１に保持した後、開閉扉９４を閉塞して芯材８５の他端側を保持体９６に保持させる。この状態で補給用箱体８６内のシート部材Ｓの一端を所定長さ引出して両ガイド片１１６、１１７の上部間に架設した後、例えば接着テープ等により芯材８３に接着する。
【００９２】
そして図７に示されるような状態にシート部材Ｓをセットした後、収納ユニット５３を基体５１側に押し込む。この時、図８に示されるように、両ガイド片１１６、１１７間に水平状態に張設されたシート部材Ｓは、基体５１のガイドレール５５の下面と揺動板５２のゴムシート７２の上面との間に形成された隙間Ｐを挿通して揺動板５２のゴムシート７２の上面に敷設される。
【００９３】
このように、基体５１に収納されたシート部材Ｓを収納する収納ユニット５３が外方に引出し自在設けられ、補給用箱体８６や収納用箱体８４が基体５１の外部に引き出せるように構成されていることにより、使用済みのシート部材Ｓの取り出し、及び新規なシート部材Ｓの補給作業を容易に行えるばかりか、図１のように遊技島台１内に設置した際、装置全体を移動することなく、収納ユニット５３のみを遊技島台１の外方に引出して交換作業等を行えるため、作業性が向上する。
【００９４】
なお、図８に示されるように、基体５１の底板５８の底面には、防振ゴム１１８が取り付けられているとともに、このように構成される清浄装置５０は、遊技島台１内に露呈する床面上に直接接地されているため、揺動板５２の揺動により発生する振動の遊技島台１内に伝達されるのが防止されるようになっている。
【００９５】
次に、本実施例の清浄装置５０の揺動板５２を水平回動させる揺動手段としての揺動モータ５９、及びシート部材Ｓの引出し手段としての巻取モータ１０４の駆動制御内容を説明する。
【００９６】
まず、収納ユニット５３の連結板８７には、揺動板５２の駆動やシート部材Ｓの巻取りを制御する制御ユニット１２３（図１６参照）が設けられており、該制御ユニット１２３には、図１５に示されるように、連結板８７の外面に臨むように設けられる操作パネル１７０が備えられている（図５〜図７参照）。
【００９７】
操作パネル１７０には、図１５に示されるように、予め設定した設定内容に基づいて清浄装置５０を自動運転または自動運転を停止させるための自動運転ボタンスイッチ１７１と、揺動板５２を駆動する揺動モータ５９のみを強制的に駆動または停止させる駆動モータ運転ボタンスイッチ１７２と、ボタンを押圧している間、収納ユニット５３にセットしたシート部材Ｓを強制的に巻取るシート送りボタンスイッチ１７３と、シート部材Ｓを予め設定された時間（ここでは１０秒）巻取る自動巻取りボタンスイッチ１７４と、シート部材Ｓを交換した際に押圧する交換検出手段としてのリセットスイッチ１７９と、自動運転ボタンスイッチ１７１が自動運転ＯＮの状態におけるシート部材Ｓの巻取り時間間隔を変更設定するための設定ボタンスイッチ１７５と、制御ユニット１２３内の制御基板１６９（図１６参照）の動作状況、揺動モータ５９の駆動状況、揚送装置２５の揚送状況、シート部材Ｓの巻取り状況等を表示報知する複数のＬＥＤからなるモニタランプ１７６と、が設けられている。
【００９８】
また、連結板８７における操作パネル１７０の側方には、制御ユニット１２３内の制御基板１６９に過電流が流れてブレーカが作動して揺動モータ５９の駆動が停止された時に復旧させるための制御基板用ブレーカリセットスイッチ１７７と、揺動モータ５９に過負荷がかかってブレーカが作動して揺動モータ５９が停止された時に復旧させるための駆動モータ用ブレーカリセットスイッチ１７８と、が設けられている。
【００９９】
ここで、清浄装置５０の構成を図１６のブロック図に基づいて簡単に説明すると、清浄装置５０に設けられた制御ユニット１２３内に内蔵される制御基板１６９には、前述した揺動モータ５９と、巻取モータ１０４と、検出センサ１０９と、リセットスイッチ１７９と、自動運転ボタンスイッチ１７１と、駆動モータ運転ボタンスイッチ１７２と、シート送りボタンスイッチ１７３と、自動巻取りボタンスイッチ１７４と、設定ボタンスイッチ１７５と、モニタランプ１７６と、制御基板用ブレーカリセットスイッチ１７７と、駆動モータ用ブレーカリセットスイッチ１７８と、が接続されている。また、図１４に示されるように、中継樋２４、２４’内を流下するパチンコ玉を検出する検出センサ１２０、１２１がそれぞれ接続されているとともに、清浄装置５０にて清浄されて排出樋２６を介して揚送装置２５に排出されるパチンコ玉を検出する検出センサ１２２が接続されている。
【０１００】
図示しない制御部が搭載される制御基板１６９は、自動運転ボタンスイッチ１７１がＯＮ状態である場合において、後述する制御プログラムに基づいて、各検出センサ１２０〜１２２からのパチンコ玉の検出状況に応じて揺動モータ５９を駆動してパチンコ玉の清浄を実施するとともに、揺動モータ５９の総駆動時間に基づいて巻取モータ１０４を駆動して、シート部材Ｓの引出しを実施するようになっている。また、制御基板１６９は、通信部１２４及び該通信部１２４に接続される通信ケーブル１２５を介して、遊技島台１内に設けられる図示しない制御装置に接続されており、該制御装置と信号の授受を実施出来るようになっている。遊技島台１内の制御装置（図示略）は、遊技島台１内に設けられる各種装置（例えば揚送装置２５やシャッタ２２）や上部タンク３や下部タンク９、９’内に設けられる各種検出センサ（図示略）に接続されているとともに、制御基板１６９から出力されたエラー信号（シート部材Ｓの交換報知や故障等）等を、通信ケーブル１２５を介して接続された管理コンピュータ（図示略）等に送信するようになっている。
【０１０１】
なお、制御基板１６９は、各種センサからの検出信号を監視し、シート部材Ｓの交換や故障等が発生した場合にはエラー信号をモニタランプ１７６及び通信部１２４に出力し、モニタランプ１７６を適宜点灯態様にて点灯させてエラーが発生した旨を外部に報知するとともに、同じエラー信号を受信した前記管理コンピュータの表示画面にエラー内容が表示させたり、遊技島台１の端部に設けられる代表ランプ等を点灯してエラーを報知する。
【０１０２】
また、制御基板１６９は、揺動モータ５９が予め定められた時間（例えば２分間）駆動した時点で、予め定められた一定の長さ（例えば３ｍｍ）のシート部材Ｓが揺動板５２上に引き出されるように巻取モータ１０４を駆動制御する。また、巻取モータ１０４による巻取りが繰り返し実施するにしたがって芯材８３の外周に巻回されるシート部材Ｓの厚みが増加するため、図１７に示されるように、１回のシート部材Ｓの巻取り時における回転軸１０５の回転量を、巻取り総実施回数が所定回数に達した時点（例えば１回で３ｍｍの巻取り１２５回を実施する毎に）で少量ずつ減少させることにより、各巻取りの実施時に常に一定の長さ（３ｍｍ）のシート部材Ｓが揺動板５２上に引き出されるように制御する。
【０１０３】
なお、本実施例においては、前記制御基板１６９は、１回のシート部材Ｓの巻取り時における回転軸１０５の回転量を制御することにより、各巻取りの実施時に常に一定の長さのシート部材Ｓが揺動板５２上に引き出されるようにしているが、例えば１回のシート部材Ｓの巻取り時における回転軸１０５の駆動時間を、巻取り総実施回数が所定回数に達した時点（例えば１回で３ｍｍの巻取り１２５回を実施する毎に）で少量ずつ減少させることにより、各巻取りの実施時に常に一定の長さ（３ｍｍ）のシート部材Ｓが揺動板５２上に引き出されるように制御するようにしてもよい。すなわち、前記制御基板１６９によって巻取モータ１０４における回転軸１０５の回転量や駆動時間等の動作量が制御させることにより、各巻取りの実施時に常に一定の長さのシート部材Ｓが揺動板５２上に引き出されるようにしてもよい。
【０１０４】
また、補給用箱体８６内の芯材８５の外周に巻回された新規なシート部材Ｓが全て引き出されて新規なシート部材Ｓが巻回された芯材８５に交換した際には、操作パネル１７０のリセットスイッチ１７９を押圧操作することで、上記巻取モータ１０４の駆動制御内容が一旦リセットされ、再び図１７に示されるような駆動制御が実施されるようになっている。なお、このリセットスイッチ１７９の押圧操作は使用者が操作するようになっているが、例えば芯材８５を補給用箱体８６から取り外すことで自動的にリセットスイッチがＯＮとなって巻取り制御内容がリセットされるようにしてもよい。
【０１０５】
また、芯材８３の外周に所定量のシート部材Ｓが巻回された場合、すなわち、補給用箱体８６内に設けられたシート部材Ｓの残量が少なくなった段階で、芯材８５から引き出されたシート部材Ｓの所定箇所に被検出部１６６が検出センサ１０９にて検出され、この信号が制御基板１６９に出力されることで、制御基板１６９はシート部材Ｓの交換報知情報をエラー信号としてモニタランプ１７６及び通信部１２４を介して外部の管理コンピュータに出力するため、シート部材Ｓの交換時期が近づいたことがモニタランプ１７６及び管理コンピュータ等にて報知されるようになっている。
【０１０６】
なお、本実施例における制御基板１６９は、シート部材Ｓの交換報知が出力された後、その時点から巻取モータ１０４の回転軸１０５の総回転量を監視し、前記報知された時点からの巻取モータ１０４の回転軸１０５の回転量が予め定められた回転量に達した時点までの間にリセットスイッチ１７９からの信号が検出されない場合、揺動モータ５９の駆動を停止するようになっているが、清浄装置５０を停止することなく駆動させるようにしてもよい。なお、この時点において、シート部材Ｓの交換がなされないことにより揺動モータ５９の駆動が停止された旨を示すエラー信号を外部に出力するようにしてもよい。
【０１０７】
次いで、図１８のフローチャートに基づいて、制御基板１６９による揺動モータ５９の駆動制御内容を説明する。
【０１０８】
まず、Ｓａ１では、揺動モータ５９が駆動中であるか否かを判定する。揺動モータ５９が駆動中でないと判定した場合には、Ｓａ２において検出センサ１２０からの検出信号の出力があるか、すなわち、中継樋２４’において検出センサ１２０の位置までパチンコ玉が充満しているか否かを判定し、検出信号の出力があると判定した場合、すなわち検出センサ１２０の位置までパチンコ玉が充満していると判定した場合には、Ｓａ４においてタイマ１がカウント中であるか否かを判定し、ここでタイマ１がカウント中で無いと判定した場合、すなわちタイマ１がクリアされている状態では、Ｓａ５においてタイマ１のカウントを開始する。
【０１０９】
また、Ｓａ２において検出センサ１２０からの検出信号の出力がないと判定した場合、すなわち、検出センサ１２０までパチンコ玉が充満していない場合には、Ｓａ３においてカウント中のタイマ１のカウントをクリアする。
【０１１０】
次に、Ｓａ６において検出センサ１２１からの検出信号の出力があるか、すなわち検出センサ１２１の位置までパチンコ玉が充満しているか否かを判定し、検出信号の出力があると判定した場合、すなわち検出センサ１２１の位置までパチンコ玉が充満していると判定した場合には、Ｓａ８においてタイマ２がカウント中であるか否かを判定し、ここでタイマ２がカウント中で無いと判定した場合、すなわちタイマ２がクリアされている状態では、Ｓａ９においてタイマ２のカウントを開始する。
【０１１１】
また、Ｓａ６において検出センサ１２１からの検出信号の出力がないと判定した場合、すなわち、検出センサ１２１までパチンコ玉が充満していない場合には、Ｓａ７においてカウント中のタイマ２のカウントをクリアする。
【０１１２】
次いで、Ｓａ１０において、検出センサ１２０または検出センサ１２１からの検出信号の出力が１０秒以上連続して出力されたか否かを判定し、１０秒以上連続して検出信号が出力されたと判定した場合には、揺動モータ５９を駆動し（Ｓａ１１）、全てのタイマをクリアして（Ｓａ１２）、また、Ｓａ１０において検出センサ１２０または検出センサ１２１からの検出信号の出力が１０秒以上連続して検出信号が出力されないと判定した場合には、そのまま処理を終了する。
【０１１３】
次に、Ｓａ１の判定において、揺動モータ５９が駆動中であると判定した場合には、Ｓａ１３において検出センサ１２０からの検出信号の出力があるか、すなわち検出センサ１２０の位置までパチンコ玉が充満しているか否かを判定し、検出信号の出力がないと判定した場合、すなわち検出センサ１２０の位置までパチンコ玉が充満していないと判定した場合には、Ｓａ１５においてタイマ１がカウント中であるか否かを判定し、ここでタイマ１のカウント中で無いと判定した場合、すなわちタイマ１がクリアされている状態では、Ｓａ１６においてタイマ１のカウントを開始する。
【０１１４】
また、Ｓａ１３において検出センサ１２０からの検出信号の出力があると判定した場合、すなわち、検出センサ１２０までパチンコ玉が充満している場合には、Ｓａ１４においてカウント中のタイマ１のカウントをクリアする。
【０１１５】
次に、Ｓａ１７において検出センサ１２１からの検出信号の出力があるか、すなわち検出センサ１２１の位置までパチンコ玉が充満しているか否かを判定し、検出信号の出力がないと判定した場合、すなわち検出センサ１２１の位置までパチンコ玉が充満していないと判定した場合には、Ｓａ１９においてタイマ２がカウント中であるか否かを判定し、ここでタイマ２のカウント中で無いと判定した場合、すなわちタイマ２がクリアされている状況では、Ｓａ２０においてタイマ２のカウントを開始する。
【０１１６】
また、Ｓａ１７において検出センサ１２１からの検出信号の出力があると判定した場合、すなわち、検出センサ１２１までパチンコ玉が充満している場合には、Ｓａ１８においてカウント中のタイマ２のカウントをクリアする。
【０１１７】
次に、Ｓａ２１において検出センサ１２２からの検出信号の出力があるか、すなわち、揚送装置２５においてパチンコ玉の揚送が行われていないなどで、検出センサ１２２の位置までパチンコ玉が充満しているか否かを判定し、検出信号の出力があると判定した場合、すなわち検出センサ１２２の位置までパチンコ玉が充満していると判定した場合には、Ｓａ２３においてタイマ３がカウント中であるか否かを判定し、ここでタイマ３のカウント中で無いと判定した場合、すなわちタイマ３がクリアされている状態では、Ｓａ２４においてタイマ３のカウントを開始する。
【０１１８】
また、Ｓａ２１において検出センサ１２２からの検出信号の出力がないと判定した場合、すなわち、検出センサ１２２までパチンコ玉が充満していない場合には、Ｓａ２２においてカウント中のタイマ３のカウントをクリアする。
【０１１９】
次に、Ｓａ２５において検出センサ１２０または検出センサ１２１からの検出信号の出力がない状態が１０秒以上連続したかを判定し、１０秒以上連続して信号が検出されていないと判定した場合には、Ｓａ２６において検出センサ１２２からの検出信号の出力が６０秒以上連続して出力されたか否かを判定し、６０秒以上連続して信号が出力されていない場合には、そのまま処理を終了し、Ｓａ２５において検出センサ１２０または検出センサ１２１からの検出信号の出力がない状態が１０秒以上連続したと判定した場合と、Ｓａ２６において検出センサ１２２からの検出信号が６０秒以上連続して出力されたと判定した場合には、Ｓａ２７において揺動モータ５９の駆動を停止し、Ｓａ２８において全てのタイマをクリアし、処理を終了するようになっている。
【０１２０】
このように本実施例においては、図１中向かって左右側の少なくともいずれか一方の合流部１８、１８’から中継樋２４、２４’、案内樋２８、２８’を流下してきたパチンコ玉が、図１１に示されるように流入口８０を介して揺動板５２の上部に次々に流入し、少なくともいずれか一方の案内樋２８、２８’、中継樋２４、２４’、内にパチンコ玉が滞留した状態が検出センサ１２０または１２１により検出されると、揺動モータ５９が駆動してパチンコ玉の清浄が実施されるように制御されているため、揺動板５２上にパチンコ玉が流入していないにも関わらず揺動モータ５９が無駄に駆動することがない。
【０１２１】
また、揺動板５２上から排出されたパチンコ玉を揚送装置２５に導く排出樋２６内にパチンコ玉が滞留した状態が検出センサ１２２により検出されると、揺動モータ５９が駆動している場合は駆動を停止してパチンコ玉の清浄の実施が停止されるように制御されているため、例えば上部タンク３内にパチンコ玉が所定量以上貯留されている等の要因によりパチンコ玉を揚送する必要がない場合や、あるいは何らかの故障等何らかの要因で揚送装置２５が駆動していない状態でパチンコ玉の清浄を実施して玉詰まりが発生した場合等において、揺動モータ５９の駆動が継続されることがないので、効率よくパチンコ玉の清浄が実施される。
【０１２２】
次に、清浄装置５０によるパチンコ玉の清浄作用を図面に基づいて説明する。
【０１２３】
遊技島台１内を循環して、合流部１８、１８’から遊技媒体案内路を構成する案内樋２８、２８’内を流下してきたパチンコ玉は、特に図１４、図１９に示されるように、案内樋２８、２８’の対向端部間に形成される排出部としての落下口１２７から落下し、流入口８０を通過して揺動板５２と蓋部材７９との間に流入することになる。
【０１２４】
ここで揺動モータ５９が駆動して揺動板５２が揺動すると、特に図１９に示されるように、揺動板５２は、前述のように揺動モータ５９の回転軸６０に対して偏心する偏心軸部材６４の上端に固着されたベアリング６６の外輪６６ａに対して相対回転不能に固定された取付リング６７に取り付けられているため、揺動モータ５９を駆動させて回転軸６０が高速回転されると偏心軸部材６４が偏心回転し、それに伴い揺動板５２が水平方向に偏心回転して揺動されることになる。この揺動板５２の偏心回動に伴い、シート部材Ｓの上面に流入した各パチンコ玉が自転してその表面がシート部材Ｓに対して擦り付けられることになり、パチンコ玉の表面に付着した汚れやゴミ等がシート部材Ｓに拭い取られて清浄されることになる。
【０１２５】
特に本実施例における揺動板５２は、揺動モータ５９の駆動により偏心回動することにより水平方向に揺動するようになっていることにより、揺動板５２が揺動することにより清浄領域Ｚ内のパチンコ玉が多方向に回転し、より複雑な動きをすることになるので、パチンコ玉の表面全域がまんべんなくシート部材Ｓに摺接して効果的に清浄される。
【０１２６】
そして平面視略細長矩形状に形成された揺動板５２の下面四隅は、回転規制部材６８を介して基体５１の底板５８に連結されているため、偏心回転に伴い偏心軸部材６４周りに回転することがないばかりか、揺動板５２の端部に生じる上下方向のあばれが抑制され、揺動板５２が円滑に、かつ安定して水平揺動されるようになっている。
【０１２７】
さらに、揺動板５２上に位置するパチンコ玉は、付勢部材としての蓋部材７９によりシート部材Ｓに付勢されることにより、揺動板５２の揺動時における飛び跳ね等が防止されるばかりか、シート部材Ｓに確実に擦り付けられることになるので、清浄作用が効果的に高まる。
【０１２８】
また、蓋部材７９により付勢されるパチンコ玉によりシート部材Ｓがゴムシート７２に圧接されるため、揺動板５２の水平揺動がシート部材Ｓに効果的に伝達されて清浄作用が高まるばかりか、揺動により生じる接触音等が抑制される。
【０１２９】
そして図２０に示されるように、流入口８０を通過して揺動板５２と蓋部材７９との間に、清浄領域Ｚの中央部から若干外方にずれた所定箇所から流入したパチンコ玉は、揺動板５２の偏心回動により自転しながら清浄されつつ、ガイド部材７３及びスライド部材１６０にて揺動板５２上に形成された清浄領域Ｚ内を、揺動モータ５９の回転軸６０の回転方向と逆方向に向けて渦巻くように外方に移動しながら清浄領域Ｚ内を周回（約２〜３周）した後、ガイド部材７３の端部とスライド部材１６０の先端部１６０ｂとの間に形成された流出部１２８から板部材１５０ａ上を通過して排出樋２６に流出することになる。
【０１３０】
このように、本実施例における清浄装置５０にあっては、揺動板５２上に形成された平面視略円形状の清浄領域Ｚの中央部から若干外方にずれた所定箇所にパチンコ玉を流入させる遊技媒体案内路としての案内樋２８、２８’が設けられているとともに、清浄されたパチンコ玉を揺動板５２上から流出させる流出部１２８が揺動板５２の外周部所定箇所、すなわち、清浄領域Ｚの外周部所定箇所に形成されていることにより、少なくとも清浄領域Ｚの外周部近傍位置からパチンコ玉を流入させた場合に比べて、揺動板５２の偏心回動によりパチンコ玉が該偏心回動方向と逆回りに渦巻くように外方に移動して揺動板５２上をより多く周回することになり、清浄領域Ｚ内に流入したパチンコ玉が清浄領域Ｚ内に長く滞留することなく短時間で流出部１２８から流出してしまうことがないので、パチンコ玉の清浄効果が著しく向上する。
【０１３１】
また、例えば従来公知の揚送研磨装置のように、パチンコ玉を揚送させる間にパチンコ玉を研磨させる場合に比べて清浄距離が短くなって清浄効果が著しく低減することがなく、パチンコ玉を清浄する清浄領域Ｚを広面積に設けなくても、限られた領域内において効率よく清浄することが出来る。
【０１３２】
なお、本実施例における清浄装置５０にあっては、清浄領域Ｚ内中央のパチンコ玉が滞留することがないように、揺動板５２上に形成された平面視略円形状の清浄領域Ｚの中央部から若干外方にずれた所定箇所にパチンコ玉が流入するように遊技媒体案内路としての案内樋２８、２８’が設けられていたが、清浄領域Ｚの中央部にパチンコ玉が流入するように案内樋２８、２８’が設けられていてもよい。
【０１３３】
また、蓋部材７９におけるパチンコ玉との当接面は、軟質の塩化ビニル樹脂からなる透明シート１５１にて構成されているため、揺動板５２の偏心回転にともなう振動によりパチンコ玉と衝突することがあっても、衝突による衝撃が透明シート１５１により吸収されるため、清浄領域Ｚ内にある複数のパチンコ玉との衝突音の発生が効果的に抑制され、清浄装置５０の駆動時における騒音の発生が防止される。よって、清浄装置５０を遊技島台１内に設置して使用する場合においても、蓋部材７９とパチンコ玉との衝撃音の発生が防止されるため、遊技中の遊技者が衝撃音を不快に感じて遊技意欲を消失するといった問題が効果的に回避される。
【０１３４】
また、保持部材１５２には複数の開口部１５４が形成されているため、この開口部１５４の上方から揺動板５２を覗めば、透明シート１５１を通してこの下方のパチンコ玉の状況を視認することが出来る。さらに、透明シート１５１における複数の開口部１５４に対応する箇所は、該対応する箇所以外に比べて、変形しやすいことから透明シート１５１の軟性作用が高い。よって、パチンコ玉との衝突による衝撃が保持板１５２に伝達されにくいので、衝撃音の吸収性が効果的に高まり、消音効果が向上することになる。また、この開口部１５４は部分的に形成されているため、薄肉の透明シート１５１の形状が部分的に著しく変形することがないので、パチンコ玉との当接状態が著しく損なわれて清浄むらが生じることもない。
【０１３５】
なお、本実施例においては、複数の開口部１５４は、前述したようにパチンコ玉の状況を外部から確認するための透視窓部としての機能と、透明シート１５１の軟性作用を維持する機能を兼ね備えているが、本発明はこれに限定されるものではなく、両機能が別々の構造により構成されていてもよい。
【０１３６】
具体的には、例えば軟性作用を維持する機能のみを持たせる場合、保持板１５２を貫通する開口部１５４を形成することなく、保持板１５２における透明シート１５１との対向面である下面に、下向きに開口する凹部を形成することによっても、前述したような透明シート１５１の軟性作用を維持する効果を得ることが出来る。
【０１３７】
また、本実施例における清浄装置５０にあっては、遊技媒体案内路としての２つの案内樋２８、２８’が設けられているため、遊技島台１内における清浄装置５０の長手方向両端側に貯留されているパチンコ玉を、これら２つの案内樋２８、２８’により、清浄領域Ｚ内における略中央部までそれぞれ別々に案内することが出来るとともに、清浄領域Ｚ内における略中央部に対してパチンコ玉を多方向から効率よく流入させ、パチンコ玉の清浄領域Ｚ内への流入効率を高めることが出来、ひいてはパチンコ玉の清浄効率が効果的に高まる。また、このように複数の遊技媒体案内路を設けることで、１台の清浄装置５０で遊技島台１内に貯留されるパチンコ玉を効率よく清浄することが出来る。
【０１３８】
なお、本実施例における遊技媒体案内路は２つの案内樋２８、２８’により構成されていたが、パチンコ玉の清浄領域Ｚ内への流入効率をより高めるために２つ以上の複数の案内樋にて構成されてもよいし、また、１つの案内樋にて構成されていてもよい。
【０１３９】
また、揺動板５２上に流入したパチンコ玉が所定面積の清浄領域Ｚ内で渦巻くように外方に移動しながら周回することにより清浄されるため、限られたスペース内においてパチンコ玉を効率よく清浄することが出来る。
【０１４０】
また、ガイド部材７３は、パチンコ玉を揺動板５２上を周回させる方向に案内する円弧状ガイド辺７３ａと、円弧状ガイド辺７３ａの所定箇所から流出部１２８に向けて直線状に延びる直線状ガイド辺７３ｂと、を有し、平面視略円形状の清浄領域Ｚを形成するため、円弧状ガイド辺７３ａにより清浄領域Ｚ内全体のパチンコ玉が渦巻く方向にスムーズに移動して清浄領域Ｚ内に適宜滞留し続けるように案内されるとともに、中央部に流入された後に次第に円弧状ガイド辺７３ａ近傍に移動してきたパチンコ玉は、直線状ガイド辺７３ｂに案内されて流出部１２８から流出することになるため、清浄領域Ｚ内所定箇所に滞留し続けたり、揺動板５２上を必要以上に周回し続けることを効果的に回避できる。
【０１４１】
さらにこのガイド部材７３は、蓋部材７９の下面に、揺動板５２に当接しないように取り付けられており、揺動板５２の偏心回動移動に追従することがないので、清浄領域Ｚ内のパチンコ玉を安定的に移動させることが出来る。
【０１４２】
また、清浄領域Ｚ内に流入したパチンコ玉は、揺動板５２の偏心回転による遠心作用、及び流入するパチンコ玉による押圧作用により流出部１２８から適宜流出するようになっているため、パチンコ玉を流出部１２８に向けて強制的に排出させる排出機構等を設ける必要がない。
【０１４３】
また、本実施例の清浄装置５０は、図２０及び図２１に示されるように、揺動板５２からのパチンコ玉の流出を規制するガイド部材７３の一部を構成するスライド部材１６０をガイド部材７３に対して伸縮させることで、スライド部材１６０の先端部１６０ｂとガイド部材７３との間の幅寸法（Ｌ１、Ｌ２）、すなわち、パチンコ玉の流出部１２８の流出幅を拡張したり縮小したりすることが出来るようになっているため、パチンコ玉の流出部１２８からの流出量を調節することが出来る。
【０１４４】
具体的に説明すると、図２０に示される状態と図２１に示される状態とでは、スライド部材１６０の先端部１６０ｂとガイド部材７３との間の幅寸法がＬ１＞Ｌ２の関係になっている。これらを比較すると、言うまでもなく、幅寸法がＬ２の場合よりもＬ１の場合の方が流出部１２８の流出幅が大きくなるため、Ｌ２の場合よりも流出部１２８からパチンコ玉が流出しやすくなる。パチンコ玉が流出しやすくなるということは、清浄領域Ｚ内に流入してから流出するまでの滞留時間が平均的に短くなり、所定時間内における清浄領域Ｚへのパチンコ玉の流入量及び流出量が多くなる。逆にＬ２の場合では、Ｌ１の場合よりも流出部１２８からパチンコ玉が流出しにくくなるため、清浄領域Ｚ内に流入してから流出するまでの滞留時間が平均的に長くなり、所定時間内における清浄領域Ｚへのパチンコ玉の流入量及び流出量が小さくなる。
【０１４５】
このように、清浄装置５０は、清浄領域Ｚ内に流入したパチンコ玉が揺動板５２の偏心回動作用によって流出部１２８から自然流出されるように構成されているため、流出量調節手段としてのスライド部材１６０の流出部１２８方向への進退幅を調節し、流出部１２８の流出幅をＬ１やＬ２に可変することで、パチンコ玉の流出量を調節することが出来る。このようにスライド部材１６０によりパチンコ玉の流出部１２８からの流出量を調節することで、清浄領域Ｚ内でのパチンコ玉の滞留時間が変わることになるため、例えばパチンコ玉を十分に清浄したい場合等においては流出部１２８の幅寸法を図２１のようにＬ２とすればよく、また、パチンコ玉をスムーズに流出させたい場合等においては流出部１２８の幅寸法を図２０のようにＬ１とすればよい。
【０１４６】
また、パチンコ玉の流出部１２８からの流出量を調節出来ることで、遊技島台１にて循環するパチンコ玉の汚れ度合いや、パチンコ玉の循環状況等に適した清浄状況を作ることが出来る。すなわち、例えば遊技場の開店時等に合わせてより多くのパチンコ玉を短時間で清浄することを優先する場合等においては流出幅を拡張し、逆にパチンコ玉を長時間かけてよりきれいに清浄したい場合等においては流出幅を縮小すればよい。
【０１４７】
また、スライド部材１６０は、前述したように耐疲労性が高く、かつ、自己潤滑性に富み、低摩擦係数、低摩耗性を有するポリアセタール樹脂からなるため、特に湾曲状の接触面１６０ｃにおいては接触したパチンコ玉を停留させることなくスムーズに滞留方向に案内することが出来るとともに、パチンコ玉との接触により削りかす等が生じて清浄効果が損なわれることがない。
【０１４８】
なお、スライド部材１６０は、全体が耐摩擦摩耗性に優れたポリアセタール樹脂にて構成されているが、少なくともパチンコ玉との接触面（１６０ａ等の側面）のみが上記のように耐摩擦摩耗性に優れた部材にて構成されていれば、その他の部位は他の部材にて構成されていてもよい。また、パチンコ玉との接触面を、耐摩耗性が高く、及びまたは低摩擦係数、低摩耗性を有する部材で構成する場合、材質は特に上記ポリアセタール樹脂に限定されるものではなく、種々に変更可能である。
【０１４９】
また、スライド部材１６０は、止めネジ１６２によりスライド移動不能に固定することが出来るようになっているため、パチンコ玉の衝突による衝撃や揺動板５２の揺動により発生する振動等の要因による不用意な移動が確実に防止される。
【０１５０】
また、本実施例におけるスライド部材１６０による流出量の調節は、手作業にて行うことが出来るように構成されていたが、スライド部材１６０の流出部１２８に対する進退スライド移動を、例えばモータ等の電気的駆動手段にて行うようにしてもよい。この場合、作業者が遊技島台１内に設置された清浄装置５０の流出量を、例えば遊技島台１の外部から、遊技島台１内の状況等に応じて適宜流出量を調節させることが出来るようになる。
【０１５１】
また、本実施例においては、流出部１２８からのパチンコ玉の流出量を調節する流出量調節手段が、流出部１２８の幅寸法を可変自在な流出幅調節部材としてのスライド部材１６０にて構成されていたが、本発明はこれに限定されるものではなく、流出部１２８からのパチンコ玉の流出量を調節することが出来るものであれば、流出量調節手段が例えば図２２に示されるように、清浄領域Ｚ内のパチンコ玉の移動方向を変更自在に設けられた方向変更部材１８０にて構成されていてもよい。
【０１５２】
具体的に説明すると、方向変更部材１８０は、ガイド部材７３における流出部１２８の近傍上流位置に、軸部材１８１を介して一端が枢支され、図２２中矢印で示されるように、遊端部が清浄領域Ｚ内に突出する突出位置と、ガイド部材７３側に退避する退避位置との間で回動（動作）自在になっている。
【０１５３】
ここで、流出部１２８の流出幅Ｌ３は固定であるものとした場合において、方向変更部材１８０を図中実線で示される前記突出位置に、図示しない固定手段にて回動不能に固定した場合、清浄領域Ｚの中央から外周のガイド部材７３の近傍に移動してきたパチンコ玉は、直線状ガイド辺７３ｂにて流出部１２８方向に案内されるところを、方向変換部材１８０により強制的に内向きに方向変換されることになる。
【０１５４】
このように方向変換部材１８０によりパチンコ玉の移動方向を強制的に変換することにより、流出部１２８に向かって移動してきたパチンコ玉は、流出部１２８から流出することなく再び清浄領域Ｚ内部に戻って滞留することになる。また、流出量を多くしたい場合には、方向変更部材１８０をガイド部材７３側に退避させればよい。なお、特に詳細な図示はしないが、この方向変更部材１８０は突出位置と退避位置との間の任意の角度で固定することが出来るため、流出量を段階的に調節することも可能である。
【０１５５】
よって、流出部１２８の流出幅等を可変させることなく、パチンコ玉の移動方向を強制的に変更させることで、パチンコ玉の流出量を調節することが出来るため、このような方向変更部材１８０も流出量調節手段に含まれる。
【０１５６】
なお、方向変更部材１８０は流出部１２８の上流側近傍位置に設けられているため、流出部１２８に向かうパチンコ玉が確実に滞留するように方向変換させることが出来ることが好ましいが、例えば図中２点鎖線で示される方向変更部材１８０’や１８０’’のように、流出部１２８から離れた位置に設けられていても、パチンコ玉の滞留経路が強制的に内向きにかわることになるため、流出部１２８からの流出量を調節することが出来る。
【０１５７】
特に方向変更部材１８０’’においては、例えば上方の蓋部材７９に回転自在に枢支して設けられており、ガイド部材７３に退避することは出来ないが、パチンコ玉の移動方向に対する姿勢を変えることで流出量を調節すればよい。
【０１５８】
なお、本発明においては、これら方向変更部材１８０〜１８０’’と前述したスライド部材１６０との両流出量調節手段を用いてもよいし、いずれか一方の部材を用いて使用することも可能である。
【０１５９】
前記各実施例における各要素は、本発明に対して以下のように対応している。
【０１６０】
本発明の請求項１は、遊技機（パチンコ機２）が設置される遊技島台（１）内に設置され、該遊技島台内に貯留される遊技媒体（パチンコ玉）の表面を清浄する清浄部材（シート部材Ｓ）が上面に敷設された揺動板（５２）を揺動手段（揺動モータ５９／偏心部材５９／揺動板５２）により水平方向に揺動させることにより、前記揺動板上に形成される遊技媒体清浄領域（Ｚ）内の前記遊技媒体と前記清浄部材とが摺接して前記遊技媒体が清浄されるように構成された遊技媒体清浄装置（清浄装置５０）であって、
前記清浄領域内の遊技媒体に当接して該遊技媒体を前記揺動板に向けて付勢する付勢手段（蓋部材７９）を備え、
該付勢手段における少なくとも遊技媒体との当接面は軟性部材（透明シート１５１）にて構成されている。
【０１６１】
本発明の請求項２は、前記付勢手段（蓋部材７９）には、前記軟性部材（透明シート１５１）を通して前記清浄領域（Ｚ）内の遊技媒体を外部から視認可能な透明窓部（開口部１５４）が形成されている。
【０１６２】
本発明の請求項３は、前記軟性部材（透明シート１５１）は、耐摩耗性を有する素材（塩化ビニル樹脂）にて構成されている。
【０１６３】
本発明の請求項４は、前記付勢手段（蓋部材７９）は、前記軟性部材（透明シート１５１）と、該軟性部材を所定形状に保持する保持部材（保持板１５２）と、からなり、前記軟性部材と前記保持部材とは固定手段（ネジ１５９、両面粘着テープ）を介して一体化されている。
【０１６４】
本発明の請求項５は、前記固定手段（ネジ１５９、両面粘着テープ）は、少なくとも前記清浄部材（シート部材Ｓ）内の遊技媒体（パチンコ玉）に接触しないように設けられている。
【０１６５】
本発明の請求項６は、前記保持部材（保持板１５２）における前記軟性部材（透明シート１５１）との対向面（下面）に、開口部（１５４）または凹部が形成されている。
【０１６６】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【０１６７】
例えば、上記実施例における遊技媒体流出部としての流出部１２８は、清浄領域Ｚ外周部における所定箇所に１箇所のみ設けられていたが、複数箇所に設けられていてもよい。
【０１６８】
また、流出部１２８はガイド部材７３にて形成されていたが、例えば揺動板５２の所定箇所に開口を形成し、この開口からパチンコ玉を流出させるようになっていてもよい。この場合、例えば流出幅調節部材は、所定の大きさに形成された開口を縮小自在とする部材にて構成すればよい。
【０１６９】
また、流出幅調節部材としてのスライド部材１６０は、流出部１２８に対して出退（動作）自在に設けられていたが、例えば流出幅調節部材を、流出部１２８の幅方向に並設される複数の壁体にて構成し、これら壁体の立設数をかえることで流出部１２８からのパチンコ玉の流出量を調節出来るようにしてもよい。
【０１７０】
また、本実施例における付勢手段としての蓋部材７９は、自重によりパチンコ玉を揺動板５２方向に付勢するものであったが、蓋部材７９を例えばコイルバネ等により強制的に付勢するようにしてもよい。
【０１７１】
また、本実施例における揺動板５２は、揺動モータ５９の回転軸６０に固着された偏心軸部材６４に対して回動自在に枢着されて、揺動モータ５９の駆動により偏心回動することにより水平方向に揺動するようになっていたが、本発明においては、揺動板５２が水平方向に揺動するようになっていれば、必ずしも偏心回動により水平方向に揺動するものに限定されるものではない。
【０１７２】
また、上記実施例における清浄装置５０は、遊技島台１内における揚送装置２５に流入するパチンコ玉を清浄する箇所に配設されていたが、遊技島台１内における配置位置は記載した箇所に限定されるものではなく、例えば上部タンク３から流出してパチンコ機２に供給されるまでの間の供給樋４の所定箇所等に設けてもよく、任意に変更可能である。さらに、遊技島台内に配設する遊技媒体清浄装置の数量は、上記実施形態にて説明したように１台に限定されるものではなく、例えば上記遊技島台１内における揚送装置２５の両側にそれぞれ１台ずつ配設する等、複数台の清浄装置を配設してもよい。
【０１７３】
また、揺動板５２上に形成される遊技媒体清浄領域としての清浄領域Ｚは、揺動板５２上であれば、必ずしも揺動板５２上全域に形成されていなくてもよい。
【０１７４】
また、本発明請求項中に記載の「遊技媒体」は、上記実施例における球状のパチンコ玉に対応しているが、特にこれに限定されるものではなく、例えば遊技機としてのスロットマシン等に使用されるメダル等であってもよい。
【０１７５】
【発明の効果】
本発明は次の効果を奏する。
【０１７６】
（ａ）請求項１の発明によれば、付勢手段により遊技媒体を揺動板に向けて付勢することで、揺動板の揺動時において、遊技媒体が清浄部材から跳ね上がって離れてしまうことにより清浄効果が低減されるのが効果的に防止されるとともに、遊技媒体との当接面が軟性部材にて構成されていることで、遊技媒体との衝突による衝撃が軟性部材にて吸収されるため、衝突音の発生が効果的に抑制される。
【０１７７】
（ｂ）請求項２の発明によれば、付勢手段を設けた状態でも、透明窓部を通して清浄領域内の遊技媒体の状況を外部から確認することが出来る。
【０１７８】
（ｃ）請求項３の発明によれば、遊技媒体との接触にて摩耗したり、削りかす等が発生しにくくなるため、清浄効果が向上する。
【０１７９】
（ｄ）請求項４の発明によれば、軟性部材の形状が変形して遊技媒体との当接状態がかわることで、清浄作用のむらが生じるのが効果的に防止される。
【０１８０】
（ｅ）請求項５の発明によれば、固定手段が遊技媒体に接触して遊技媒体を傷つけたり、清浄領域内における動きの妨げになることがないので、清浄作用の低減が防止される。
【０１８１】
（ｆ）請求項６の発明によれば、少なくとも軟性部材における開口部または凹部に対応する箇所は保持部材による形状保持作用が弱くなるとともに、保持部材に衝撃が伝達されにくくなるので、軟性作用が保持部材にて損なわれるのを回避出来る。
【図面の簡単な説明】
【図１】本発明の実施例としての清浄装置が適用された遊技島台の内部構造を示す断面図である。
【図２】図１のＡ−Ａ断面図である。
【図３】図１の遊技島台の要部の内部構造を示す平面図である。
【図４】図１の遊技島台に適用された揚送装置の内部構造を示す断面図である。
【図５】清浄装置を示す外観斜視図ある。
【図６】同じく清浄装置を示す外観斜視図である。
【図７】同じく清浄装置を示す外観斜視図である。
【図８】図５のＢ−Ｂ断面図である。
【図９】枠体の構造を示す概略斜視図である。
【図１０】蓋部材の構成を示す分解斜視図である。
【図１１】（ａ）はガイド部材及びスライド部材を下方から見上げた状態を示す斜視図であり、（ｂ）は蓋部材の要部を示す拡大断面図である。
【図１２】スライド部材の固定手段の変形例を示す概略図である。
【図１３】収納ユニットを示す平面図である。
【図１４】シート部材の巻取り状況を示す概略断面図である。
【図１５】操作パネルを示す概略図である。
【図１６】清浄装置の構成を示すブロック図である。
【図１７】巻取モータの回転軸の回転量制御を示す図である。
【図１８】揺動モータの制御内容を示すフローチャートである。
【図１９】揺動板上へのパチンコ玉の流入状況及び揺動状態を示す要部拡大断面図である。
【図２０】揺動板の揺動時におけるパチンコ玉の移動状態を示す概略平面図である。
【図２１】同じく揺動板の揺動時におけるパチンコ玉の移動状態を示す概略平面図である。
【図２２】方向変換部材による揺動板の揺動時におけるパチンコ玉の移動状態を示す概略平面図である。
【符号の説明】
１　　　　　　　　　遊技島台
２　　　　　　　　　パチンコ機
３　　　　　　　　　上部タンク
４　　　　　　　　　供給樋
５　　　　　　　　　支流樋
６　　　　　　　　　玉タンク
７　　　　　　　　　玉抜き管
８　　　　　　　　　アウト玉タンク
９　　　　　　　　　下部タンク
９ａ　　　　　　　　側板
１０　　　　　　　　下部樋
１１　　　　　　　　開口
１２　　　　　　　　オーバーフロー樋
１３　　　　　　　　繕板
１４　　　　　　　　開口
１５　　　　　　　　計数装置
１５ａ　　　　　　　玉投入口
１６　　　　　　　　排出路
１７、１７’　　　　側部樋
１８、１８’　　　　合流部
１９　　　　　　　　開口
２０　　　　　　　　仕切板
２１　　　　　　　　排出口
２２　　　　　　　　シャッタ
２３、２３’　　　　連通口
２４、２４’　　　　中継樋
２５　　　　　　　　揚送装置
２６　　　　　　　　排出樋
２７　　　　　　　　バイパス樋
２８、２８’　　　　案内樋
２８ａ　　　　　　　屈曲片
２９ａ、２９ｂ　　　連通口
３０　　　　　　　　箱体
３１　　　　　　　　駆動歯車
３２　　　　　　　　従動回転体
３３　　　　　　　　バケット
３４　　　　　　　　タイミングベルト
３５　　　　　　　　駆動モータ
３６　　　　　　　　リベット
３７　　　　　　　　流入口
３８　　　　　　　　排出口
３９　　　　　　　　移動体
４０　　　　　　　　レバー
４１　　　　　　　　長孔
４２　　　　　　　　ネジ
４３　　　　　　　　引っ張りバネ
４４　　　　　　　　回転軸
４５　　　　　　　　ローラ
５０　　　　　　　　清浄装置
５１　　　　　　　　基体
５２　　　　　　　　揺動板
５２ａ　　　　　　　屈曲部
５３　　　　　　　　収納ユニット
５４　　　　　　　　側板
５５　　　　　　　　ガイドレール
５６　　　　　　　　枠体
５６ａ　　　　　　　下部フレーム
５６ｂ　　　　　　　上部フレーム
５７　　　　　　　　引出しレール
５８　　　　　　　　底板
５９　　　　　　　　揺動モータ
６０　　　　　　　　回転軸
６１　　　　　　　　固定部材
６２　　　　　　　　防振ゴム
６３　　　　　　　　貫通路
６４　　　　　　　　偏心軸部材
６５　　　　　　　　バランスウェイト
６５ａ　　　　　　　ディスク部材
６５ｂ　　　　　　　ウェイト部材
６６　　　　　　　　ベアリング
６６ａ　　　　　　　外輪
６６ｂ　　　　　　　内輪
６６ｃ　　　　　　　球
６６ｄ　　　　　　　保持器
６７　　　　　　　　取付リング
６８　　　　　　　　回転規制部材
６９、６９’　　　　取付板
７０、７０’　　　　変形部材
７１　　　　　　　　連結棒
７２　　　　　　　　ゴムシート
７３　　　　　　　　ガイド部材
７３ａ　　　　　　　円弧状ガイド部
７３ｂ　　　　　　　直線状ガイド部
７４　　　　　　　　底板
７５　　　　　　　　蝶番
７６　　　　　　　　ガイド片
７７ａ　　　　　　　係止部
７７ｂ　　　　　　　フック
７８　　　　　　　　保持片
７９　　　　　　　　蓋部材
８０　　　　　　　　流入口
８１　　　　　　　　誘導部材
８１ａ　　　　　　　傾斜片
８２　　　　　　　　突出片
８３　　　　　　　　芯材
８４　　　　　　　　収納用箱体
８５　　　　　　　　芯材
８６　　　　　　　　補給用箱体
８７　　　　　　　　連結板
８８　　　　　　　　取手
８９　　　　　　　　磁石
９１、９２　　　　　軸部材
９３、９４　　　　　開閉扉
９５、９６　　　　　保持体
９７、９８　　　　　軸部材
９９　　　　　　　　側板
１００　　　　　　　駆動保持体
１０１　　　　　　　軸部材
１０２　　　　　　　切欠部
１０３　　　　　　　係止ピン
１０４　　　　　　　巻取モータ
１０５　　　　　　　回転軸
１０６　　　　　　　駆動プーリ
１０７　　　　　　　ベルト
１０８　　　　　　　従動プーリ
１０９　　　　　　　検出センサ
１１０　　　　　　　側板
１１１　　　　　　　保持体
１１１ａ　　　　　　フランジ部
１１１ｂ　　　　　　支持体
１１２　　　　　　　軸部材
１１３　　　　　　　コイルバネ
１１４　　　　　　　側板
１１６、１１７　　　ガイド片
１１８　　　　　　　防振ゴム
１２０〜１２２　　　検出センサ
１２３　　　　　　　制御ユニット
１２４　　　　　　　通信部
１２５　　　　　　　通信ケーブル
１２６　　　　　　　支持棒
１２７　　　　　　　落下口
１２８　　　　　　　流出部
１５０ａ、１５０ｂ　板部材
１５１　　　　　　　透明シート
１５２　　　　　　　保持板
１５３、１５７　　　開口部
１５４　　　　　　　開口部
１５５、１５６　　　切欠部
１５８　　　　　　　停留防止部材
１５９　　　　　　　ネジ
１６０　　　　　　　スライド部材
１６０ａ　　　　　　直線状部
１６０ｂ　　　　　　先端部
１６０ｃ　　　　　　接触面
１６１　　　　　　　長溝
１６２　　　　　　　止めネジ
１６３　　　　　　　マーク
１６４、１６５　　　凸部
１６６　　　　　　　被検出部
１６７、１６８　　　補助パイプ
１６９　　　　　　　制御基板
１７０　　　　　　　操作パネル
１７１　　　　　　　自動運転ボタンスイッチ
１７２　　　　　　　駆動モータ運転ボタンスイッチ
１７３　　　　　　　シート送りボタンスイッチ
１７４　　　　　　　自動巻取りボタンスイッチ
１７５　　　　　　　設定ボタンスイッチ
１７６　　　　　　　モニタランプ
１７７　　　　　　　制御基板用ブレーカリセットスイッチ
１７８　　　　　　　駆動モータ用ブレーカリセットスイッチ
１７９　　　　　　　リセットスイッチ
１８０　　　　　　　方向変更部材
１８１　　　　　　　軸部材
Ｍ　　　　　　　　　溝部
Ｐ　　　　　　　　　隙間
Ｓ　　　　　　　　　シート部材
Ｚ　　　　　　　　　清浄領域
【図１】
2004057680.tif 000003
【図２】
2004057680.tif 000004
【図３】
2004057680.tif 000005
【図４】
2004057680.tif 000006
【図５】
2004057680.tif 000007
【図６】
2004057680.tif 000008
【図７】
2004057680.tif 000009
【図８】
2004057680.tif 000010
【図９】
2004057680.tif 000011
【図１０】
2004057680.tif 000012
【図１１】
2004057680.tif 000013
【図１２】
2004057680.tif 000014
【図１３】
2004057680.tif 000015
【図１４】
2004057680.tif 000016
【図１５】
2004057680.tif 000017
【図１６】
2004057680.tif 000018
【図１７】
2004057680.tif 000019
【図１８】
2004057680.tif 000020
【図１９】
2004057680.tif 000021
【図２０】
2004057680.tif 000022
【図２１】
2004057680.tif 000023
【図２２】
2004057680.tif 000024